(57)【特許請求の範囲】
【請求項１】
データシンボル間に周波数方向及び時間方向にパイロットシンボルを分散させて変調されたＯＦＤＭ信号からパイロットシンボルを抽出し、該抽出したパイロットシンボルから遅延波の時間軸分布を示す遅延プロファイルを生成する遅延プロファイル生成手段と、
前記遅延プロファイル生成手段で生成された遅延プロファイルから、必要な遅延プロファイルを抽出するための時間位置を示す遅延プロファイル窓を用いて、該窓内の遅延プロファイルを抽出する遅延プロファイル抽出手段と、
前記遅延プロファイル抽出手段で抽出された遅延プロファイルのうち、第１の期間の遅延プロファイルの信号成分を積分すると共に、前記第１の期間と重複しない第２の期間の遅延プロファイルの信号成分を積分する積分手段と、
前記積分手段によって得られた２つの期間の積分値を比較する比較手段と、
前記比較手段の比較結果に基づいて前記遅延プロファイル窓の時間位置を補正する補正手段と、
を含む遅延プロファイル生成器。
【請求項２】
前記第１の期間は、前記抽出された遅延プロファイルの時間長の中心を境として２つの期間に分割したときの前半の期間であって、前記第２の期間は後半の期間である
請求項１に記載の遅延プロファイル生成器。
【請求項３】
前記積分手段は、前記第１の期間及び前記第２の期間を、前記抽出された遅延プロファイルの時間長及び前記補正手段の補正量に基づいて変更する
請求項１に記載の遅延プロファイル生成器。
【請求項４】
前記補正手段は、前記比較手段で２つの積分値の大小関係が所定の条件を満たしたと判断された場合に前記遅延プロファイル窓の時間位置を補正する
請求項１〜請求項３のいずれか１項記載の遅延プロファイル生成器。
【請求項５】
前記補正手段は、前記積分手段で２つの期間の積分値が演算される毎に所定範囲内の補正量を算出して累算し、前記遅延プロファイル窓の時間位置を基準の窓位置から該累算した補正量だけ離れた時間位置に移動させる請求項１〜請求項４のいずれか１項記載の遅延プロファイル生成器。
【発明の詳細な説明】
【技術分野】
【０００１】
本発明は、ＩＳＤＢ−Ｔ等のスキャッタードパイロットを用いたＯＦＤＭ変調方式において、遅延プロファイルを生成する遅延プロファイル生成器に関する。
【背景技術】
【０００２】
近年、地上波デジタル放送等での変調方式として、ＯＦＤＭ（Orthogonal Frequency Division Multiplexing：直交周波数分割多重）変調方式が用いられている。
【０００３】
ＯＦＤＭ変調方式では、中心周波数の異なる複数のサブキャリア（搬送波）を利用して、シンボルを送信する。１シンボル期間は、有効シンボル期間にガード期間が付加されて構成される。ＯＦＤＭ方式では図４に示すように、実際に復調の対象となる有効シンボル信号の一部を複写し、繰り返し波形として有効シンボル信号間に挿入することで、遅延波発生によるマルチパス干渉の影響を抑制している。この複写波形の期間がガード期間（ＧＩ）である。
【０００４】
このＯＦＤＭ信号を復調する場合には、受信したＯＦＤＭ信号をＡ／Ｄコンバータによりデジタル変換し、ガード期間を除去して有効シンボル信号を取り出し、ＦＦＴ（高速フーリエ変換器）で復調する。
【０００５】
また、このＯＦＤＭ変調方式では、データシンボル内に振幅や位相の基準として周波数方向と時間方向にパイロットシンボルを分散させて変調して送信し、受信側ではこのパイロットシンボルを用いて伝送路特性推定を行い復調するスキャッタードパイロット方式が用いられている。
【０００６】
伝送路推定においては、遅延波の遅延時間分布を示す遅延プロファイルが生成される。遅延プロファイルは、ＦＦＴ処理の結果からパイロットシンボルを抽出し、該抽出したパイロットシンボルを用いてＩＦＦＴ（逆高速フーリエ変換）処理を行うことにより生成している。
【０００７】
なお、算出可能な遅延プロファイルの最大時間長は、物理的性質からパイロットシンボルが配置されるサブキャリア間隔の逆数と有効ＯＦＤＭシンボル長を掛け合わせたものに相当する。ＩＳＤＢ−Ｔ等では図５に示すようなシンボル配列になっている。図の縦軸は時間（ＯＦＤＭシンボル）を、横軸は周波数を示す。図中の黒丸はパイロットシンボルを、白丸はデータシンボルを示す。この例では、同じシンボルの配置は、４つのＯＦＤＭシンボルに１回の周期で現れている。図５に示す例で、連続した４ＯＦＤＭシンボル以上を用いて遅延プロファイルを生成すればパイロットシンボルが配列されるサブキャリア間隔は３サブキャリアとなり、算出可能な遅延プロファイルの最大時間長は有効ＯＦＤＭシンボル長の１／３となる。
【０００８】
図６（Ａ）は受信したＯＦＤＭ信号を示し、図６（Ｂ）は図６（Ａ）に示すＯＦＤＭ信号から生成した遅延プロファイルを示す。上記に示す例では算出可能な遅延プロファイルの時間長はＯＦＤＭシンボルの１／３であり、１／３以外の時間領域に存在する出力は繰り返し周期により生じる不要なパス情報である。
【０００９】
従来の技術では、遅延プロファイル生成において、遅延プロファイル窓（必要なパス情報を抽出するための時間位置を示す窓）の時間的な位置（図６（Ｃ）参照）は、受信信号をＯＦＤＭ復調するときのＦＦＴ窓（ＦＦＴ演算の時間位置を示す窓）の時間位置、そして、遅延プロファイル窓の基準の時間位置の２つの時間位置により定めていた。
【００１０】
なお、ＦＦＴ窓の時間位置は相関器により求めた時間位置を基準として定められ、遅延プロファイル窓の基準の時間位置は、想定される遅延プロファイルの時間位置から固定的に定められている（例えば、特許文献１参照）。このように後者は固定であるため、従来では、相関器の結果に応じて遅延プロファイル窓の時間位置が決定されると言える。
【００１１】
従来の相関器は、図７に示すように、受信したＯＦＤＭ信号（図７（Ａ）参照）と、該ＯＦＤＭ信号を有効シンボル期間長分遅延した信号（図７（Ｂ）参照）との相関値を求める（図７（Ｃ）参照）。そして、この相関値を積分した値の最大値を抽出し、該最大値となる時間位置を検出して、その時間位置を基準にＦＦＴ窓の時間位置を決定している。
【００１２】
ところが、マルチパスが発生した場合、相関器が検出するＦＦＴ窓の時間位置が適切な位置にならない場合がある。例えば、２波マルチパス受信時には、図８（Ａ）及び図８（Ｂ）が示すそれぞれの相関出力が合成された図８（Ｃ）に示すような相関出力が得られる。このように相関出力が複数の頂点を有すると、時間同期が安定せず、相関器が検出するＦＦＴ窓の時間位置が２つの到来波のいずれか一方に非常に近くなる場合があり、もう一方のパス成分が遅延プロファイル上に正しく現れないことがある。
【００１３】
具体的に図９を参照して詳しく説明する。図９（Ａ）及び図９（Ｂ）は、受信した２つの到来波を示し、図９（Ｃ）及び図９（Ｄ）は、図９（Ａ）及び（Ｂ）の各々から生成される遅延プロファイルを示す。
【００１４】
図９においても図６と同様に不要なパス情報を含むが、遅延プロファイル窓を適切な時間位置にすれば、図９（Ｅ）に示すように２つの到来波のパス情報を抽出でき、正しい遅延プロファイル情報を生成することができる。しかしながら、相関器が検出するＦＦＴ窓の時間位置が適切でない場合、遅延プロファイル窓も適切な位置に設定されず、図９（Ｆ）に示すように不要なパス情報を取り込み、誤った遅延プロファイルを生成してしまう。
【００１５】
このように相関器出力を用いて遅延プロファイル窓の時間位置を決定すると、良好な遅延プロファイルが生成できないことがある。
【特許文献１】特開２００６−３５２３１４号公報
【発明の開示】
【発明が解決しようとする課題】
【００１６】
本発明は、遅延プロファイル窓を適した時間位置に移動させ、必要な成分が抽出された精度の高い遅延プロファイルを生成することができる遅延プロファイル生成器を提供することを目的とする。
【課題を解決するための手段】
【００１７】
上記目的を達成するために、本発明に係る遅延プロファイル生成器は、データシンボル間に周波数方向及び時間方向にパイロットシンボルを分散させて変調されたＯＦＤＭ信号からパイロットシンボルを抽出し、該抽出したパイロットシンボルから遅延波の時間軸分布を示す遅延プロファイルを生成する遅延プロファイル生成手段と、前記遅延プロファイル生成手段で生成された遅延プロファイルから、必要な遅延プロファイルを抽出するための時間位置を示す遅延プロファイル窓を用いて、該窓内の遅延プロファイルを抽出する遅延プロファイル抽出手段と、前記遅延プロファイル抽出手段で抽出された遅延プロファイルのうち、第１の期間の遅延プロファイルの信号成分を積分すると共に、前記第１の期間と重複しない第２の期間の遅延プロファイルの信号成分を積分する積分手段と、前記積分手段によって得られた２つの期間の積分値を比較する比較手段と、前記比較手段の比較結果に基づいて前記遅延プロファイル窓の時間位置を補正する補正手段と、を含んで構成されている。
【００１８】
このように、遅延プロファイル窓を用いて抽出された遅延プロファイルの２つの期間の積分値を比較して遅延プロファイル窓の時間位置を補正することにより、遅延プロファイル窓を適した時間位置に移動させることができ、精度の高い遅延プロファイルを生成することができる。
【００１９】
なお、前記抽出された遅延プロファイルの時間長の中心を境として２つの期間に分割したときの前半の期間であって、前記第２の期間は後半の期間としてもよい。
【００２０】
また、前記積分手段は、前記第１の期間及び前記第２の期間を、前記抽出された遅延プロファイルの時間長及び前記補正手段の補正量に基づいて変更するようにしてもよい。
【００２１】
なお、前記補正手段は、前記比較手段で２つの積分値の大小関係が所定の条件を満たしたと判断された場合に前記遅延プロファイル窓の時間位置を補正するようにしてもよい。
【００２２】
また、前記補正手段は、前記積分手段で２つの期間の積分値が演算される毎に所定範囲内の補正量を算出して累算し、前記遅延プロファイル窓の時間位置を基準の窓位置から該累算した補正量だけ離れた時間位置に移動させるようにしてもよい。
【発明の効果】
【００２３】
以上説明したように本発明によれば、遅延プロファイル窓を適した時間位置に移動させ、必要な成分が抽出された精度の高い遅延プロファイルを生成することができる、という効果を奏する。
【発明を実施するための最良の形態】
【００２４】
以下、本発明の好ましい実施の形態について図面を参照しながら詳細に説明する。
【００２５】
［第１の実施の形態］
【００２６】
図１は、本発明の第１の実施の形態に係るＯＦＤＭ（Orthogonal Frequency Division Multiplexing：直交周波数分割多重）信号の復調装置側に設けられる遅延プロファイル生成器１０の概略構成図である。
【００２７】
この遅延プロファイル生成器１０の処理対象となるＯＦＤＭ信号は、スキャッタードパイロット方式により変調されたものである。図５にパイロットシンボルとデータシンボルの配置関係を示すフレーム構成の例を示す。図の縦軸は時間（ＯＦＤＭシンボル）を、横軸は周波数を示す。図中の黒丸はパイロットシンボルを、白丸はデータシンボルを示す。この例では、同じシンボルの配置は、４つのＯＦＤＭシンボルに１回の周期で現れているが、この周期に限定されるものではない。
【００２８】
図１に示すように、本実施の形態の遅延プロファイル生成器１０は、ＦＦＴ（高速フーリエ変換部）１２、遅延プロファイル生成部１４、遅延プロファイル抽出部１６、カウンタ切替部１８、第１積分回路２０、第２積分回路２２、比較器２４、進遅情報生成部２６、及び第３積分回路２８を備えている。
【００２９】
高速フーリエ変換部１２は、入力されたＯＦＤＭ信号に対してフーリエ変換を実行し、復調する。このフーリエ変換により、時間軸信号が周波数軸信号に変換される。
【００３０】
遅延プロファイル生成部１４は、パイロットシンボルとデータシンボルとが混在したフーリエ変換後の入力信号からパイロットシンボルを抽出する。前述したようにパイロットシンボルは所定の周期で入力信号に散在しており、該所定の周期で散在するパイロットシンボルを抽出する。ここで、抽出の具体的なイメージについて説明する。簡略のため、パイロットシンボルをＰ、データシンボルをＤとする。例えば、入力信号のデータ配列が、ＤＤＤＰＤＤＤＰＤＤＤＰＤＤＤと仮定すると、抽出するというイメージはＤを０（ゼロ）に置き換えるということである。この場合、抽出後の信号のデータ配列は、０００Ｐ０００Ｐ０００Ｐ０００である。そして、遅延プロファイル生成部１４は、パイロットシンボルの抽出結果を更に逆フーリエ変換して時間軸信号に変換する。これが遅延パスの遅延時間分布を示す遅延プロファイルとなるが、この時点では不要なパス情報が含まれている。
【００３１】
算出可能な遅延プロファイルの最大時間長は、物理的性質からパイロットシンボルが配置されるサブキャリア間隔の逆数と有効ＯＦＤＭシンボル長を掛け合わせたものに相当する。例えば、図５に示すように同じシンボルの配置が４つのＯＦＤＭシンボルに１回の周期で現れているシンボル配列になっている場合、連続した４ＯＦＤＭシンボル以上を用いて遅延プロファイルを生成すれば、パイロットシンボルが配列されるサブキャリア間隔は３サブキャリアとなり、算出可能な遅延プロファイルの最大時間長は有効ＯＦＤＭシンボル長の１／３となる。従って、１／３以外の時間領域に存在する出力は繰り返し周期により生じる不要なパス情報となる（図６（Ｂ）も参照）。
【００３２】
遅延プロファイル抽出部１６は、遅延プロファイル窓（必要なパス情報を抽出するための時間位置を示す窓）を用いて、遅延プロファイル生成部１４で生成された不要なパス情報を含む遅延プロファイルから必要な時間位置にあるパス情報を抽出して出力する。すなわち、遅延プロファイル抽出部１６は、遅延プロファイル窓の時間位置内にあるパス情報を抽出することで、不要なパス情報を排除した遅延プロファイルを生成する。なお、遅延プロファイル抽出部１６は、第３積分回路２８から入力された位置制御情報に基づいて遅延プロファイル窓の時間位置を移動させて用いる。
【００３３】
カウンタ切替部１８には、遅延プロファイル抽出部１６の抽出結果が入力される。そして、カウンタ切替部１８は、入力された遅延プロファイルの出力先を時間位置で切り替える。具体的には、カウンタ切替部１８は、予め定められた遅延プロファイル窓の開始位置から終了位置までの時間長を、その時間長の中心で区切り、遅延プロファイル抽出部１６の抽出結果のうち、該中心の時間位置より前の期間の遅延プロファイルを第１積分回路２０に出力し、該中心の時間位置より後ろの期間の遅延プロファイルを第２積分回路２２に出力する。このように、カウンタ切替部１８は、遅延プロファイル抽出部１６から入力された遅延プロファイルの出力経路を切替える。
【００３４】
第１積分回路２０、及び第２積分回路２２は、入力された遅延プロファイルの信号成分（電力）をそれぞれ積分して比較器２４に出力する。
【００３５】
前半部分を積分する第１積分回路２０で行なわれる積分の数式を以下に示す。
【００３６】
【数１】
0004362142.tif 000002
【００３７】
後半部分を積分する第２積分回路２２で行なわれる積分の数式を以下に示す。
【００３８】
【数２】
0004362142.tif 000003
【００３９】
なお、上記２つの積分式において、Ｔは、ＯＦＤＭシンボル時間であり、ｔはプロファイル時間であり、Ｌは遅延プロファイル窓時間長であり、ｐｓｕｍ＿ｆｉｒ（Ｔ）は、第１積分回路２０の出力であり、ｐｓｕｍ＿ｌａｔ（Ｔ）は第２積分回路２２の出力であり、ｄ＿ｐｒｏｆ（Ｔ，ｔ）は遅延プロファイルである。
【００４０】
比較器２４は、第１積分回路２０の出力と第２積分回路２２の出力とを以下の式を用いて比較し、その比較結果を進遅情報生成部２６に出力する。
【００４１】
【数３】
0004362142.tif 000004
【００４２】
なお、αは比較係数であり、１＜αである。また、ｃｏｍｐ＿ｐｆ（Ｔ）が比較出力である。上記式から明らかなように、比較器２４は、第１積分回路２０からの出力が、第２積分回路２２からの出力に比較係数αを乗算した値よりも大きい場合には（以下第１の条件と呼称）、１を出力し、第２積分回路２２からの出力が、第１積分回路２０からの出力に比較係数αを乗算した値よりも小さい場合には（以下第２の条件と呼称）、−１を出力し、第１及び第２の条件のいずれにも該当しない場合には０を出力する。
【００４３】
進遅情報生成部２６は、比較器２４から入力された比較出力に基づいて、遅延プロファイル窓の時間位置を補正するときの補正量（進み量または遅れ量）を示す信号を出力する。なお、以下ではこの補正量を示す信号を進遅情報と呼称する。進遅情報生成部２６が進遅情報を生成するときの数式を下記に示す。
【００４４】
【数４】
0004362142.tif 000005
【００４５】
ここで、βは移動係数であり、ｃｏｍｐ＿ａｐ（Ｔ）が進遅情報である。すなわち、進遅情報生成部２６は、比較器２４の出力結果に移動係数βを乗算した値を進遅情報として出力する。なお、比較器２４からの出力が０の場合には、進遅情報も０となる。すなわち、上記比較器２４での大小比較で、２つの積分値が第１の条件及び第２の条件のいずれにも該当しない場合には、補正がされないこととなる。これにより、余計な補正を行なわずにすむ。
【００４６】
第３積分回路２８は、進遅情報生成部２６からの進遅情報を積分し、該積分結果を遅延プロファイル窓の位置制御情報として遅延プロファイル抽出部１６に出力する。すなわち、第３積分回路２８は、進遅情報生成部２６から入力された進遅情報を累積的に加算して遅延プロファイル窓の基準の時間位置からの補正量を求め、これを位置制御情報として出力している。
【００４７】
遅延プロファイル抽出部１６は、第３積分回路２８から入力された位置制御情報に従い遅延プロファイル窓の時間位置を、遅延プロファイル窓の基準の時間位置から該位置制御情報が示す補正量だけ離れた時間位置に移動させる。そして、移動させた遅延プロファイル窓を用いて遅延プロファイル生成部１４で生成された不要なパス情報を含む遅延プロファイルから必要な時間位置にあるパス情報を抽出して出力する。
【００４８】
なお、比較器２４で用いる比較式や進遅情報生成部２６で用いる数式から明らかなように、本実施の形態では、第１積分回路２０及び第２積分回路２２の積分値の差分の大小に拘わらず、上記比較器２４で第１積分回路２０の積分値と第２積分回路２２の積分値とが所定の大小関係を満たせば、所定範囲内の補正量（ここでは−β又はβ）が生成されることになる。第３積分回路２８は、この補正量を累算して遅延プロファイル抽出部１６に出力し、徐々に補正するようにしている。すなわち、第１積分回路２０と第２積分回路２２の積分値の差分の大小に応じた補正量で一気に遅延プロファイル窓を移動させるのではなく、徐々に移動させるようにしている。これにより、急激に伝送路が変動して遅延プロファイル窓の時間位置が本来と異なる位置に急激に移動することを防ぐことができる。
【００４９】
ここで、到来時間差が大きな２波マルチパス受信時における遅延プロファイル窓の位置制御を例に挙げ、具体的に説明する。
【００５０】
図２（Ａ）及び図２（Ｂ）は、受信した２つの到来波を示し、図２（Ｃ）及び図２（Ｄ）は、図２（Ａ）及び（Ｂ）の各々から生成される遅延プロファイルを示す。
【００５１】
また、図２（Ｅ）には遅延プロファイル窓の基準の時間位置が示されている。図２（Ｃ）及び図２（Ｄ）に示されるように生成された遅延プロファイルには不要なパス情報が含まれるため、基準の時間位置の遅延プロファイル窓を用いて遅延プロファイルを抽出すると、図２（Ｅ）に示すように、不要なパス情報まで抽出されてしまう。
【００５２】
上記実施の形態では、このときの抽出結果を、カウンタ切替部３２で遅延プロファイル窓の時間長の前半の期間と後半の期間とに分割し、それぞれの期間の信号成分を第１積分回路２０及び第２積分回路２２で別々に積分する。この結果を比較器２４で比較し、前半の期間と後半の期間とで積分値の偏りがあれば、その偏りが無くなる方向に進遅情報が生成される。そして、第３積分回路２８は、進遅情報から遅延プロファイル窓の位置制御情報を生成し、遅延プロファイル抽出部１６は該位置制御情報に基づいて遅延プロファイル窓の位置を移動させる。
【００５３】
図２（Ｆ）では、遅延プロファイル窓の時間位置が基準位置から移動した状態を示している。この遅延プロファイル窓の時間位置でも、まだ不要なパス情報が含まれている。遅延プロファイル生成器１０は、この位置で遅延プロファイルを抽出し、該抽出結果を基に上記の如く再度位置制御情報を生成する。これにより、更に遅延プロファイル窓の時間位置が更に移動する。
【００５４】
このように、遅延プロファイル窓の位置制御情報を徐々に移動していくことによって、図２（Ｇ）に示すように遅延プロファイル窓を適切な時間位置に移動させることができる。図２（Ｇ）では、不要なパス情報は除外され、必要なパス情報は遅延プロファイル窓の時間位置内に含まれた状態となっている。これにより、必要な時間領域の遅延プロファイルを抽出することができる。
【００５５】
なお、図２（Ｇ）のように遅延プロファイル窓が適切な時間位置にある場合には、比較器２４での比較結果として０が出力されるため、進遅情報生成部２６で生成される進遅情報も０となり、第３積分回路２８からは前回の位置制御情報と変わらない位置制御情報が出力されることになる。
【００５６】
［第２の実施の形態］
【００５７】
本実施の形態の遅延プロファイル生成器３０と第１の実施の形態の遅延プロファイル生成器１０との相違は、図３に示すように、カウンタ切替部１８に代えてカウンタ切替部３２を設け、第３積分回路２８で演算された位置制御情報が遅延プロファイル抽出部１６だけでなく、カウンタ切替部３２にも入力されるように構成した点である。
【００５８】
本実施の形態のカウンタ切替部３２は、第１の実施の形態のカウンタ切替部１８と同様に遅延プロファイルの出力先を時間位置で切替えるが、このとき第３積分回路２８の位置制御情報に基づいて、その切替位置を可変する。
【００５９】
より詳述すると、まず、カウンタ切替部３２は、第１積分回路２０の積分終了時間位置、及び第２積分回路２２の積分開始時間位置を求める。
【００６０】
第１積分回路２０の積分終了時間位置を求めるときの数式を以下に示す。
【００６１】
【数５】
0004362142.tif 000006
【００６２】
第２積分回路２２の積分開始時間位置を求めるときの数式を以下に示す。
【００６３】
【数６】
0004362142.tif 000007
【００６４】
なお、ＴはＯＦＤＭシンボル時間であり、Ｍｉは予め定められたオフセット時間であり、Ｌは遅延プロファイル窓時間長であり、Ｃｔｐ＿ｆｉｒ（Ｔ）は第１積分回路２０の積分終了時間位置であり、Ｃｔｐ＿ｌａｔ（Ｔ）は、第２積分回路２２の積分開始時間位置であり、ｐｒｆ＿ｐ（Ｔ）は、第３積分回路２８の出力（遅延プロファイル窓補正量）であり、γは積分位置補正用係数である。
【００６５】
なお、オフセット時間Ｍｉは装置に応じて適宜定めてもよいし、０であってもよい。０であれば、第１積分回路２０の積分終了時間位置と第２積分回路２２の積分開始時間位置とが一致する。
【００６６】
そして、カウンタ切替部３２は、予め定められたオフセット時間Ｍｏから上記求められた積分終了時間位置Ｃｔｐ＿ｆｉｒ（Ｔ）までの期間（前半の期間）の遅延プロファイルを第１積分回路２０に出力し、上記求めた積分開始時間位置Ｃｔｐ＿ｌａｔ（Ｔ）から、遅延プロファイル窓時間長Ｌからオフセット時間Ｍｏを差し引いた時間までの期間（後半の期間）の遅延プロファイルを第２積分回路２２に出力する。なお、オフセット時間Ｍｏは装置に応じて適宜定めてもよいし、０であってもよい。
【００６７】
これにより、第１積分回路２０では以下に示される積分演算が行なわれる。
【００６８】
【数７】
0004362142.tif 000008
【００６９】
また、第２積分回路２２では以下に示される積分演算が行なわれる。
【００７０】
【数８】
0004362142.tif 000009
【００７１】
なお、上記２つの積分式において、ＴはＯＦＤＭシンボル時間であり、ｔは遅延プロファイル時間であり、Ｌは遅延プロファイル窓時間長であり、Ｍｏはオフセット時間であり、ｐｓｕｍ＿ｆｉｒ（Ｔ）は第１積分回路２０の出力であり、ｐｓｕｍ＿ｌａｔ（Ｔ）は第２積分回路２２の出力であり、ｄ＿ｐｒｏｆ（Ｔ，ｔ）は遅延プロファイルであり、Ｃｔｐ＿ｆｉｒ（Ｔ）は上記求めた第１積分回路２０の積分終了時間位置であり、Ｃｔｐ＿ｌａｔ（Ｔ）は、上記求めた第２積分回路２２の積分開始時間位置である。
【００７２】
このように、第２の実施の形態では、第１積分回路２０と第２積分回路２２の積分期間を可変とすることにより、第１の実施の形態で得られる効果のみならず、急激に伝送路が変動し、誤って不要なパス情報が遅延プロファイル窓に入るように遅延プロファイル窓を移動させてしまった場合であっても、遅延プロファイル窓の追従範囲が設けられていない第１の実施の形態の遅延プロファイル生成器１０と異なり、積分時間が自動的に変化するため、遅延プロファイル窓の時間位置が本来と異なる位置に移動し続けることを防ぐことができるという効果を奏する。
【図面の簡単な説明】
【００７３】
【図１】第１の実施の形態に係る遅延プロファイル生成器の概略構成図である。
【図２】受信した２つの到来波から生成した遅延プロファイルから遅延プロファイル窓を移動させて必要なパス情報を抽出する処理を説明する説明図である。
【図３】第２の実施の形態に係る遅延プロファイル生成器の概略構成図である。
【図４】ＯＦＤＭ信号のフォーマットを説明する図である。
【図５】スキャッタードパイロット方式におけるパイロットシンボルとデータシンボルの配置関係を示すフレーム構成例を示す図である。
【図６】ＯＦＤＭ信号から遅延プロファイルを生成し、遅延プロファイル窓を用いてパス情報を抽出する処理を説明する説明図である。
【図７】受信したＯＦＤＭ信号と、該ＯＦＤＭ信号を有効シンボル期間長遅延した信号との相関値を求めるときの従来の求め方を説明する説明図である。
【図８】マルチパスが発生した場合に従来の相関器で得られる相関信号の一例を示す図である。
【図９】マルチパスが発生した場合に遅延プロファイル窓が適切な時間位置にないと誤った遅延プロファイルが生成されてしまう問題点を説明する説明図である。
【符号の説明】
【００７４】
１０  遅延プロファイル生成器
１２  高速フーリエ変換部
１４  遅延プロファイル生成部
１６  遅延プロファイル抽出部
１８  カウンタ切替部
２０  第１積分回路
２２  第２積分回路
２４  比較器
２６  進遅情報生成部
２８  第３積分回路
３０  遅延プロファイル生成器
３２  カウンタ切替部
【図１】
0004362142.tif 000010
【図２】
0004362142.tif 000011
【図３】
0004362142.tif 000012
【図４】
0004362142.tif 000013
【図５】
0004362142.tif 000014
【図６】
0004362142.tif 000015
【図７】
0004362142.tif 000016
【図８】
0004362142.tif 000017
【図９】
0004362142.tif 000018